(57)【特許請求の範囲】
【請求項１】
演算手段と、前記演算手段の演算結果を表示する表示手段とを有する携帯型情報処理装置であって、
前記演算手段と、ユーザの操作を前記演算手段に伝達する入力手段とを含む本体部が、接続部により相互に物理的に接続される第１の筐体と第２の筐体とから構成され、
前記表示手段が、液晶ディスプレイパネルに代えて、プロジェクタと、前記プロジェクタにより画像を投影可能な投影面を有する表示部とから構成され、前記第１の筐体の接続部と該接続部に対向する端部との中間近傍と、前記第２の筐体の接続部と該接続部に対向する端部との中間近傍とにそれぞれ物理的に接続され、
前記入力手段が、前記第１の筐体の接続部と該接続部に対向する端部との中間近傍よりも端部側、または、前記第２の筐体の接続部と該接続部に対向する端部との中間近傍よりも端部側に配置されることを特徴とする、携帯型情報処理装置。
【請求項２】
前記表示部が、前記第１の筐体または前記第２の筐体に収納可能なことを特徴とする、請求項１に記載の携帯型情報処理装置。
【発明の詳細な説明】
【技術分野】
【０００１】
本発明は、プロジェクタ機能を有する携帯型情報処理装置に関する。
【背景技術】
【０００２】
情報処理装置と一体に構成する表示機能は、液晶ディスプレイパネル（ＬＣＤ）が使用されることが一般的である。ＬＣＤは、同一画面サイズの陰極線管と比較して奥行きが小さく消費電力も小さいため、情報処理装置の小型化および省電力化が実現されている。
【０００３】
しかし、ＬＣＤを製造するときには、大量の二酸化炭素が排出される。例えば一般的なノート型パーソナルコンピュータを製造するときには、１台あたり１２０Ｋｇの二酸化炭素が排出されるが、その中でＬＣＤの製造による二酸化炭素排出量は、約８０Ｋｇを占める。
【０００４】
特許文献１は、情報処理装置と一体に構成する表示機能として、プロジェクタを使用することを開示している。プロジェクタ、特に光源として発光ダイオードや半導体レーザといった半導体素子を使用する一般的なノート型パーソナルコンピュータに内蔵可能な大きさのプロジェクタは、ＬＣＤと比較して製造時の二酸化炭素排出量が極めて小さい。また、光源として半導体素子を使用するプロジェクタはＬＣＤよりも消費電力が小さいため、製品ライフサイクル全体を通してＬＣＤよりも環境負荷の観点から好ましいと言える。
【０００５】
【特許文献１】特開平１０−６９３２８号公報
【発明の開示】
【発明が解決しようとする課題】
【０００６】
特許文献１に開示される情報処理装置は、背面にプロジェクタを有するように構成されている。しかし、同時にＬＣＤも備えているため、製造による二酸化炭素排出量は減少しておらず、むしろ増加している。また、この構成では、プロジェクタが画面を投影すべき投影面を別個に用意する必要がある。つまり、情報処理装置と別に投影面と固定部材とを用意し、使用前に設置するか、壁面等に投影することになる。
【０００７】
投影面と固定部材とを情報処理装置と別に携帯し、設置するのは、ユーザにとって利便性を欠くという問題がある。また、情報処理装置の使用場所周辺に投影面の設置場所がない場合には投影することができないので、使用場所が制限されるという問題がある。一方、壁面等への投影は、情報処理装置の使用場所周辺の適切な位置に壁面等があるか確かでなく、あったとしてもその表面が投影に適していない場合もあるので、使用場所が制限されるという問題がある。
【０００８】
そこで、本発明は、プロジェクタと表示面とを物理的に接続し、コンパクトに収納可能な携帯型情報処理装置を提供することを目的とする。
【課題を解決するための手段】
【０００９】
本発明の携帯型情報処理装置は、演算手段と、演算手段の演算結果を表示する表示手段とを有する携帯型情報処理装置であって、演算手段と、ユーザの操作を演算手段に伝達する入力手段とを含む本体部が、接続部により相互に物理的に接続される第１の筐体と第２の筐体とから構成され、表示手段が、液晶ディスプレイパネルに代えて、プロジェクタと、プロジェクタにより画像を投影可能な投影面を有する表示部とから構成され、第１の筐体の接続部と接続部に対向する端部との中間近傍と、第２の筐体の接続部と接続部に対向する端部との中間近傍とにそれぞれ物理的に接続され、入力手段が、第１の筐体の接続部と接続部に対向する端部との中間近傍よりも端部側、または、第２の筐体の接続部と接続部に対向する端部との中間近傍よりも端部側に配置されることを特徴とする。
【発明の効果】
【００１０】
本発明によれば、プロジェクタと表示面とを物理的に接続し、コンパクトに収納可能な携帯型情報処理装置を提供することができる。
【発明を実施するための最良の形態】
【００１１】
以下、図面を参照して本発明を実施するための最良の形態について詳細に説明する。本発明の第１の実施形態の携帯型情報処理装置は、折りたたまれた状態、スクリーンを投影可能に立ち上げた状態および投影可能に立ち上げられたスクリーンをさらに上方に持ち上げた状態をとることができる。
【００１２】
図１は、本発明の第１の実施形態である携帯型情報処理装置が折りたたまれた状態を示す図である。図１は、上面図（ａ）、背面図（ｂ）、正面図（ｃ）、左側面図（ｄ）および右側面図(e)からなる。図１を参照すると、本発明の第１の実施形態である携帯型情報処理装置は、本体部１０とスクリーン１３とを有している。本体部１０は、キーボードやポインティングデバイスなどの入力手段とマイクロプロセッサなどの演算手段とを少なくとも備え、演算手段の演算結果をプロジェクタによってスクリーン１３に投影するように構成される。
【００１３】
本体部１０とスクリーン１３とは、第１接続部１１ａと１１ｂおよび第２接続部１２ａと１２ｂによって接続されている。スクリーン１３は、後方から投影された光を前方に透過させる性質を有する透過スクリーンを使用することができる。第１接続部１１ａ、１１ｂおよび第２接続部１２ａ、１２ｂは、ヒンジ等により構成することができる。折りたたまれた状態では、プロジェクタはスクリーン１３に投影することができない。
【００１４】
図２は、本発明の第１の実施形態である携帯型情報処理装置のスクリーンを投影可能に立ち上げた状態を示す図である。図２は、上面図（ａ）と右側面図（ｂ）とからなる。スクリーン１３は、第２接続部１２ａと１２ｂによって、本体部１０の上方に支持される。プロジェクタ１４は、スクリーン１０に演算結果を投影する。
【００１５】
図３は、本発明の第１の実施形態である携帯型情報処理装置のスクリーンを、投影可能に立ち上げられた状態からさらに上方に持ち上げた状態を示す図である。図３は、上面図（ａ）と右側面図（ｂ）とからなる。スクリーン１３は、第１接続部１１ａと１１ｂおよび第２接続部１２ａと１２ｂによって、本体部１０の上方に支持される。プロジェクタ１４は、スクリーン１０に演算結果を投影する。
【００１６】
このとき、本体部１０は接地面に平行かつ投影面の方向にスライド可能に構成されている。このように構成することにより、本体部１０の備える入力手段を、投影面を見ながら操作する操作者に近づけることができるため、操作者と投影面との間隔をとることができる。
【００１７】
次に、本発明の第２の実施形態である携帯型情報処理装置について説明する。本発明の第２の実施形態である携帯型情報処理装置は、開かれた状態と折りたたまれた状態とをとることができる。
【００１８】
図４は、本発明の第２の実施形態である携帯型情報処理装置の開かれた状態を示す図である。図４は、左側面図（ａ）と正面図（ｂ）とからなる。図４を参照すると、本発明の第２の実施形態である携帯型情報処理装置は、入力手段と演算手段とを備える本体部２０ａと２０ｂ、本体部２０ａと２０ｂとを接続し、プロジェクタを備える接続部２１およびスクリーン２２を有している。本体部２０ａまたは２０ｂの備える入力手段は、具体的にはタッチパッドやボタンにより構成可能である。
【００１９】
開かれた状態において、本発明の第２の実施形態である携帯型情報処理装置は、演算手段の演算結果をプロジェクタによってスクリーン２２に投影する。
【００２０】
図５は、本発明の第２の実施形態である携帯型情報処理装置の折りたたまれた状態を示す図である。図５は、左側面図（ａ）と正面図（ｂ）とからなる。このとき、スクリーン２２は、本体部２０ａと２０ｂとの間に折りたたまれるようにしてもよいし、本体部２０ａまたは２０ｂの内部に収納するようにしてもよい。折りたたまれた状態では、演算結果をプロジェクタによってスクリーン２２に投影することはできない。
【図面の簡単な説明】
【００２１】
【図１】本発明の第１の実施形態である携帯型情報処理装置が折りたたまれた状態を示す図である。
【図２】本発明の第１の実施形態である携帯型情報処理装置のスクリーンを投影可能に立ち上げた状態を示す図である。
【図３】本発明の第１の実施形態である携帯型情報処理装置のスクリーンを、投影可能に立ち上げられた状態からさらに上方に持ち上げた状態を示す図である。
【図４】本発明の第２の実施形態である携帯型情報処理装置の開かれた状態を示す図である。
【図５】本発明の第２の実施形態である携帯型情報処理装置の折りたたまれた状態を示す図である。
【符号の説明】
【００２２】
ｌ０  本体部
１１ａ、１１ｂ  第１接続部
１２ａ、１２ｂ  第２接続部
１３  スクリーン
１４  プロジェクタ
２０ａ、２０ｂ  本体部
２１  接続部
２２  スクリーン
【図１】
0005020145.tif 000002
【図２】
0005020145.tif 000003
【図３】
0005020145.tif 000004
【図４】
0005020145.tif 000005
【図５】
0005020145.tif 000006